(57)【要約】  画像表示装置（２）は、第１の液晶パネル（１６）と、第１の液晶パネル（１６）の背面（１６ｂ）に対向配置された第２の液晶パネル（１８）と、第２の液晶パネル（１８）の背面（１８ｂ）に光を照射するバックライト（１２）とを備える。第１の液晶パネル（１６）は、第１の液晶パネル（１６）の前面（１６ａ）に配置された第１の前面偏光板（２２）と、第１の液晶パネル（１６）の背面（１６ｂ）に配置された第１の背面偏光板（２４）と、第１の前面偏光板（２２）と第１の背面偏光板（２４）との間に配置された第１の液晶セル（２６）とを有する。第２の液晶パネル（１８）は、第２の液晶パネル（１８）の前面（１８ａ）に配置された第２の前面偏光板（４４）と、第２の液晶パネル（１８）の背面（１８ｂ）に配置され、平面視で第１の背面偏光板（２４）よりも小さい第２の背面偏光板（４６）と、第２の前面偏光板（４４）と第２の背面偏光板（４６）との間に配置された第２の液晶セル（４８）とを有する。
2019116618.tif 000002
【特許請求の範囲】
【請求項１】
前面に画像を表示する第１の液晶パネルと、
前面が前記第１の液晶パネルの背面に対向して配置された第２の液晶パネルと、
前記第２の液晶パネルの背面に光を照射するバックライトと、を備え、
前記第１の液晶パネルは、
第１の透過軸を有し、前記第１の液晶パネルの前記前面に配置された第１の前面偏光板と、
前記第１の透過軸と異なる方向の第２の透過軸を有し、前記第１の液晶パネルの前記背面に配置された第１の背面偏光板と、
前記第１の前面偏光板と前記第１の背面偏光板との間に配置された第１の液晶セルと、を有し、
前記第２の液晶パネルは、
前記第２の透過軸と同じ方向の第３の透過軸を有し、前記第２の液晶パネルの前記前面に配置された第２の前面偏光板と、
平面視で前記第１の背面偏光板よりも小さい第２の背面偏光板であって、前記第３の透過軸と異なる方向の第４の透過軸を有し、前記第２の液晶パネルの前記背面に配置された第２の背面偏光板と、
前記第２の前面偏光板と前記第２の背面偏光板との間に配置された第２の液晶セルと、を有する
画像表示装置。
【請求項２】
前記第２の液晶セルは、
前記第２の前面偏光板に対向して配置された前面透明基板と、
前記第２の背面偏光板に対向して配置された背面透明基板と、
前記前面透明基板と前記背面透明基板との間に配置された液晶層と、
前記前面透明基板と前記背面透明基板との間に配置され、前記液晶層の外周部を封止する封止材と、を有し、
前記第２の背面偏光板と前記液晶層とは、前記平面視で同じ大きさである
請求項１に記載の画像表示装置。
【請求項３】
前記画像表示装置は、さらに、前記第２の液晶パネルの外周部に対向して配置され、前記バックライトからの光を前記第１の液晶パネルの前記背面に導くための導光板を備える
請求項１又は２に記載の画像表示装置。
【請求項４】
前記画像表示装置は、さらに、前記第２の液晶パネルの外周部に対向して配置され、前記バックライトからの光を前記第１の液晶パネルの前記背面に向けて反射するための反射面を有する反射部材を備える
請求項１又は２に記載の画像表示装置。
【請求項５】
前記反射部材は、前記第１の液晶パネルの外周部から前記第２の液晶パネルの前記外周部に亘って貼り付けられ、少なくとも前記第２の液晶パネルの前記外周部に対向する領域に前記反射面が形成された固定テープである
請求項４に記載の画像表示装置。
【請求項６】
前記第２の前面偏光板は、前記平面視で前記第１の背面偏光板よりも小さい
請求項１〜５のいずれか１項に記載の画像表示装置。
【発明の詳細な説明】
【技術分野】
【０００１】
本開示は、画像を表示する画像表示装置に関する。
【背景技術】
【０００２】
特許文献１には、２枚の液晶パネル（ＬＣＤ：Ｌｉｑｕｉｄ  Ｃｒｙｓｔａｌ  Ｄｉｓｐｌａｙ）が重ね合わされた画像表示装置が開示されている。この種の画像表示装置では、液晶パネルを１枚だけ用いた場合と比べて、バックライトからの光漏れが抑制されるため、黒輝度を低減して、高いコントラストで画像を表示することができる。
【先行技術文献】
【特許文献】
【０００３】
【特許文献１】国際公開第２００７／１０８１８３号
【発明の概要】
【発明が解決しようとする課題】
【０００４】
本開示は、視野角を拡大することができる画像表示装置を提供する。
【課題を解決するための手段】
【０００５】
本開示における画像表示装置は、前面に画像を表示する第１の液晶パネルと、前面が第１の液晶パネルの背面に対向して配置された第２の液晶パネルと、第２の液晶パネルの背面に光を照射するバックライトと、を備え、第１の液晶パネルは、第１の透過軸を有し、第１の液晶パネルの前面に配置された第１の前面偏光板と、第１の透過軸と異なる方向の第２の透過軸を有し、第１の液晶パネルの背面に配置された第１の背面偏光板と、第１の前面偏光板と第１の背面偏光板との間に配置された第１の液晶セルと、を有し、第２の液晶パネルは、第２の透過軸と同じ方向の第３の透過軸を有し、第２の液晶パネルの前面に配置された第２の前面偏光板と、平面視で第１の背面偏光板よりも小さい第２の背面偏光板であって、第３の透過軸と異なる方向の第４の透過軸を有し、第２の液晶パネルの背面に配置された第２の背面偏光板と、第２の前面偏光板と第２の背面偏光板との間に配置された第２の液晶セルと、を有する。
【発明の効果】
【０００６】
本開示における画像表示装置によれば、視野角を拡大することができる。
【図面の簡単な説明】
【０００７】
【図１】図１は、実施の形態１に係る画像表示装置の正面側の外観を示す斜視図である。
【図２】図２は、図１のＩＩ−ＩＩ線による、実施の形態１に係る画像表示装置を示す要部断面図である。
【図３】図３は、実施の形態１に係る液晶モジュールの一部を分解して示す分解斜視図である。
【図４】図４は、比較例１に係る画像表示装置を示す要部断面図である。
【図５】図５は、比較例２に係る画像表示装置を示す要部断面図である。
【図６】図６は、実施の形態２に係る画像表示装置を示す要部断面図である。
【図７】図７は、実施の形態３に係る画像表示装置を示す要部断面図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者らは、当業者が本開示を十分に理解するために添付図面及び以下の説明を提供するのであって、これらによって請求の範囲に記載の主題を限定することを意図するものではない。
【００１０】
（実施の形態１）
［１−１．画像表示装置の構成］
まず、図１〜図３を参照しながら、実施の形態１に係る画像表示装置２の構成について説明する。図１は、実施の形態１に係る画像表示装置２の正面側の外観を示す斜視図である。図２は、図１のＩＩ−ＩＩ線による、実施の形態１に係る画像表示装置２を示す要部断面図である。図３は、実施の形態１に係る液晶モジュール４の一部を分解して示す分解斜視図である。
【００１１】
図１に示すように、画像表示装置２は、例えばフラットパネルディスプレイ型の液晶テレビジョン受像機である。画像表示装置２は、液晶モジュール４と、液晶モジュール４の背面を覆うバックカバー６と、液晶モジュール４を支持するスタンド８とを備えている。
【００１２】
液晶モジュール４は、画像（静止画及び動画を含む）を表示するためのユニットである。図２及び図３に示すように、液晶モジュール４は、下フレーム１０と、バックライト１２と、上フレーム１４と、第１の液晶パネル１６と、第２の液晶パネル１８とを備えている。なお、説明の都合上、図２ではバックカバー６の図示を省略し、図３では下フレーム１０及び上フレーム１４の図示を省略してある。
【００１３】
下フレーム１０は、バックライト１２等を支持するための部材である。下フレーム１０は、例えばポリカーボネート等の樹脂で形成されている。
【００１４】
バックライト１２は、例えば直下型のバックライトであり、下フレーム１０に支持されている。図示しないが、バックライト１２は、複数のＬＥＤ（Ｌｉｇｈｔ  Ｅｍｉｔｔｉｎｇ  Ｄｉｏｄｅ）と、複数のＬＥＤからの光を反射する反射シートと、複数のＬＥＤからの光を拡散する拡散板と、拡散板からの光を集光等させるための光学シートとを有している。バックライト１２は、第２の液晶パネル１８の背面１８ｂ（バックライト１２に近い側の面）に向けて光を照射する。なお、バックライト１２からの光には、あらゆる偏光方向の光が含まれている。
【００１５】
上フレーム１４は、第１の液晶パネル１６の外周部１６ｃ及び第２の液晶パネル１８の外周部１８ｃを保護するための部材である。上フレーム１４は、ＸＹ平面視で矩形状の枠状に形成され、第１の液晶パネル１６の外周部１６ｃ及び第２の液晶パネル１８の外周部１８ｃを覆うようにして配置されている。上フレーム１４は、例えばポリカーボネート等の樹脂で形成されている。図２に示すように、上フレーム１４は、第１の液晶パネル１６及び第２の液晶パネル１８を下フレーム１０との間で挟持する。上フレーム１４と第１の液晶パネル１６の前面１６ａ（バックライト１２から遠い側の面）との間にはクッション部材１９ａが挟持され、下フレーム１０と第２の液晶パネル１８の背面１８ｂとの間にはクッション部材１９ｂが挟持されている。
【００１６】
第１の液晶パネル１６は、例えば液晶分子の配向方向が９０°ツイストしたツイステッドネマティック（Ｔｗｉｓｔｅｄ  Ｎｅｍａｔｉｃ）型の液晶パネルであり、ＸＹ平面視で矩形状に形成されている。第１の液晶パネル１６の前面１６ａには、第１の画像が表示される。
【００１７】
図２及び図３に示すように、第１の液晶パネル１６は、第１の前面偏光板２２と、第１の背面偏光板２４と、第１の液晶セル２６とを有している。これらの第１の前面偏光板２２、第１の液晶セル２６及び第１の背面偏光板２４は、画像表示装置２を視聴するユーザ２０から見て手前側から奥側へ（Ｚ軸のプラス側からマイナス側へ）この順に重ね合わされている。なお、第１の前面偏光板２２、第１の液晶セル２６及び第１の背面偏光板２４は、ＸＹ平面視で同じ大きさである。
【００１８】
図２及び図３に示すように、第１の前面偏光板２２は、ＸＹ平面視で矩形状に形成され、第１の液晶パネル１６の前面１６ａに配置されている。第１の前面偏光板２２の厚みは、例えば０．３ｍｍである。図３に示すように、第１の前面偏光板２２は、当該第１の前面偏光板２２を透過する光の偏光方向を示す第１の透過軸２８を有している。すなわち、第１の前面偏光板２２は、第１の液晶セル２６から第１の前面偏光板２２に入射した光のうち、第１の透過軸２８に平行な偏光方向の光のみを透過させる。なお、第１の透過軸２８の方向は、例えばＹ軸方向である。
【００１９】
図２及び図３に示すように、第１の背面偏光板２４は、ＸＹ平面視で矩形状に形成され、第１の液晶パネル１６の背面１６ｂ（バックライト１２に近い側の面）に配置されている。第１の背面偏光板２４の厚みは、例えば０．３ｍｍである。図３に示すように、第１の背面偏光板２４は、当該第１の背面偏光板２４を透過する光の偏光方向を示す第２の透過軸３０を有している。すなわち、第１の背面偏光板２４は、第２の液晶パネル１８から第１の背面偏光板２４に入射した光のうち、第２の透過軸３０に平行な偏光方向の光のみを透過させる。なお、第２の透過軸３０の方向は、第１の前面偏光板２２の第１の透過軸２８に垂直な方向（第１の透過軸２８と異なる方向の一例）であり、例えばＸ軸方向である。
【００２０】
図２及び図３に示すように、第１の液晶セル２６は、第１の前面偏光板２２と第１の背面偏光板２４との間に配置されている。第１の液晶セル２６は、第１の前面ガラス基板３２と、第１の背面ガラス基板３４と、第１の液晶層３６と、カラーフィルタ３８とを有している。
【００２１】
第１の前面ガラス基板３２及び第１の背面ガラス基板３４の各々は、透光性を有する材料、例えば透明なガラスで形成されている。第１の前面ガラス基板３２及び第１の背面ガラス基板３４は、ＸＹ平面視で同じ大きさの矩形状に形成されており、互いに対向して配置されている。第１の前面ガラス基板３２は第１の前面偏光板２２に対向して配置され、第１の背面ガラス基板３４は第１の背面偏光板２４に対向して配置されている。なお、第１の前面ガラス基板３２は、ＸＹ平面視で第１の前面偏光板２２と同じ大きさであり、第１の背面ガラス基板３４は、ＸＹ平面視で第１の背面偏光板２４と同じ大きさである。
【００２２】
第１の液晶層３６は、例えばツイステッドネマティック型の液晶分子で形成された液晶層であり、第１の前面ガラス基板３２と第１の背面ガラス基板３４との間に配置されている。第１の液晶層３６は、ＸＹ平面視で矩形状に形成され、マトリクス状に配置された複数の第１の画素４０を有している。図２では、説明の都合上、第１の液晶層３６の上端部に配置された第１の画素４０のみを図示してある。第１の液晶層３６の外周部は、その全周に亘って第１の封止材４２により封止されている。すなわち、第１の液晶層３６は、ＸＹ平面視で第１の前面ガラス基板３２及び第１の背面ガラス基板３４の各々よりも小さい。なお、第１の前面ガラス基板３２及び第１の背面ガラス基板３４は、第１の封止材４２を介して互いに貼り合わされている。
【００２３】
カラーフィルタ３８は、特定の波長域の光のみを透過させるためのフィルタであり、第１の前面ガラス基板３２と第１の液晶層３６との間に配置されている。カラーフィルタ３８は、第１の液晶層３６の複数の第１の画素４０にそれぞれ対応して配置された複数のＲＧＢフィルタ（図示せず）を有している。複数のＲＧＢフィルタの各々は、赤（Ｒ）フィルタ、緑（Ｇ）フィルタ及び青（Ｂ）フィルタを有している。
【００２４】
なお、図示しないが、第１の前面ガラス基板３２と第１の背面ガラス基板３４との間には、上述した第１の液晶層３６及びカラーフィルタ３８以外に、ａ）第１の液晶層３６の液晶分子を配向させる配向膜、ｂ）薄膜トランジスタ（ＴＦＴ：Ｔｈｉｎ  Ｆｉｌｍ  Ｔｒａｎｓｉｓｔｏｒ）で形成された、液晶分子を駆動するための電圧を印加する電極、ｃ）上記電極を覆う絶縁膜、及び、ｄ）カラーフィルタ３８の赤フィルタ、緑フィルタ及び青フィルタの間を遮光するブラックマトリクス等が配置されている。
【００２５】
第２の液晶パネル１８は、例えばツイステッドネマティック型の液晶パネルであり、ＸＹ平面視で矩形状に形成されている。第２の液晶パネル１８の前面１８ａ（バックライト１２から遠い側の面）には、第２の画像が表示される。第１の液晶パネル１６及び第２の液晶パネル１８は、互いに重ね合わされており、例えば接着剤等により互いに接着されている。第２の液晶パネル１８の前面１８ａは、第１の液晶パネル１６の背面１６ｂに対向して配置されている。
【００２６】
図２及び図３に示すように、第２の液晶パネル１８は、第２の前面偏光板４４と、第２の背面偏光板４６と、第２の液晶セル４８とを有している。これらの第２の前面偏光板４４、第２の液晶セル４８及び第２の背面偏光板４６は、画像表示装置２を視聴するユーザ２０から見て手前側から奥側へこの順に重ね合わされている。
【００２７】
第２の前面偏光板４４及び第２の背面偏光板４６は、ＸＹ平面視で同じ大きさであり、且つ、ＸＹ平面視で第２の液晶セル４８よりも小さい。また、第２の前面偏光板４４及び第２の背面偏光板４６は、ＸＹ平面視で第２の液晶セル４８の第２の液晶層５８と同じ大きさであり、且つ、ＸＹ平面視で第１の背面偏光板２４よりも小さい。すなわち、第２の前面偏光板４４及び第２の背面偏光板４６の各外周部は、ＸＹ平面視で第２の液晶セル４８の第２の液晶層５８の外周部と重なっている。なお、図３では、大きさの比較を分かりやすくするために、第１の背面偏光板２４の大きさを示す二点鎖線の枠線Ｆを、第２の前面偏光板４４及び第２の背面偏光板４６の各々に重ね合わせて図示してある。
【００２８】
図２及び図３に示すように、第２の前面偏光板４４は、ＸＹ平面視で矩形状に形成され、第２の液晶パネル１８の前面１８ａに配置されている。第２の前面偏光板４４の厚みは、例えば０．３ｍｍである。図３に示すように、第２の前面偏光板４４は、当該第２の前面偏光板４４を透過する光の偏光方向を示す第３の透過軸５０を有している。すなわち、第２の前面偏光板４４は、第２の液晶セル４８から第２の前面偏光板４４に入射した光のうち、第３の透過軸５０に平行な偏光方向の光のみを透過させる。なお、第３の透過軸５０の方向は、第１の背面偏光板２４の第２の透過軸３０と同じ方向であり、例えばＸ軸方向である。
【００２９】
図２及び図３に示すように、第２の背面偏光板４６は、ＸＹ平面視で矩形状に形成され、第２の液晶パネル１８の背面１８ｂに配置されている。第２の背面偏光板４６の厚みは、例えば０．３ｍｍである。図３に示すように、第２の背面偏光板４６は、当該第２の背面偏光板４６を透過する光の偏光方向を示す第４の透過軸５２を有している。すなわち、第２の背面偏光板４６は、バックライト１２から第２の背面偏光板４６に入射した光のうち、第４の透過軸５２に平行な偏光方向の光のみを透過させる。なお、第４の透過軸５２の方向は、第２の前面偏光板４４の第３の透過軸５０に垂直な方向（第３の透過軸５０と異なる方向の一例）であり、例えばＹ軸方向である。
【００３０】
図２及び図３に示すように、第２の液晶セル４８は、第２の前面偏光板４４と第２の背面偏光板４６との間に配置されている。第２の液晶セル４８は、第２の前面ガラス基板５４（前面透明基板の一例）と、第２の背面ガラス基板５６（背面透明基板の一例）と、第２の液晶層５８（液晶層の一例）とを有している。
【００３１】
第２の前面ガラス基板５４及び第２の背面ガラス基板５６の各々は、透光性を有する材料、例えば透明なガラスで形成されている。第２の前面ガラス基板５４及び第２の背面ガラス基板５６は、ＸＹ平面視で同じ大きさの矩形状に形成されており、互いに対向して配置されている。第２の前面ガラス基板５４は第２の前面偏光板４４に対向して配置され、第２の背面ガラス基板５６は第２の背面偏光板４６に対向して配置されている。なお、第２の前面ガラス基板５４は、ＸＹ平面視で第２の前面偏光板４４よりも大きく、第２の背面ガラス基板５６は、ＸＹ平面視で第２の背面偏光板４６よりも大きい。
【００３２】
第２の液晶層５８は、例えばツイステッドネマティック型の液晶分子で形成された液晶層であり、第２の前面ガラス基板５４と第２の背面ガラス基板５６との間に配置されている。第２の液晶層５８は、ＸＹ平面視で矩形状に形成され、マトリクス状に配置された複数の第２の画素６０を有している。図２では、説明の都合上、第２の液晶層５８の上端部に配置された第２の画素６０のみを図示してある。第２の液晶層５８の外周部は、その全周に亘って透明な第２の封止材６２（封止材の一例）により封止されている。すなわち、第２の液晶層５８は、ＸＹ平面視で第２の前面ガラス基板５４及び第２の背面ガラス基板５６の各々よりも小さい。なお、第２の前面ガラス基板５４及び第２の背面ガラス基板５６は、第２の封止材６２を介して互いに貼り合わされている。
【００３３】
なお、図示しないが、第２の前面ガラス基板５４と第２の背面ガラス基板５６との間には、上述した第２の液晶層５８以外に、ａ）第２の液晶層５８の液晶分子を配向させる配向膜、ｂ）薄膜トランジスタで形成された、液晶分子を駆動するための電圧を印加する電極、及び、ｃ）上記電極を覆う絶縁膜等が配置されている。
【００３４】
［１−２．効果］
次に、図２、図４及び図５を参照しながら、実施の形態１に係る画像表示装置２により得られる効果について説明する。図４は、比較例１に係る画像表示装置１００を示す要部断面図である。図５は、比較例２に係る画像表示装置１１０を示す要部断面図である。図４及び図５では、図２に示す画像表示装置２と同一の構成要素には同一の符号を付して、その説明を省略する。
【００３５】
図４に示すように、比較例１に係る画像表示装置１００では、第２の液晶パネル１０２の第２の前面偏光板１０４及び第２の背面偏光板１０６の各々は、ＸＹ平面視で同じ大きさであり、且つ、ＸＹ平面視で第１の背面偏光板２４と同じ大きさである。すなわち、第２の前面偏光板１０４及び第２の背面偏光板１０６の各々は、ＸＹ平面視で第２の液晶セル４８の第２の液晶層５８よりも大きい。
【００３６】
しかしながら、このような構成では、ユーザ２０が画像表示装置１００を真正面方向（Ｚ軸方向）に対して斜め方向から見た場合に、第１の液晶パネル１６の第１の液晶層３６の上下左右の端部に配置された第１の画素４０を視認することができない。以下、その理由について説明する。
【００３７】
バックライト１２からの光は、第２の液晶パネル１０２の第２の背面偏光板１０６を透過することにより、第４の透過軸に平行な方向（Ｙ軸方向）に偏光される。このとき、図４において矢印Ｐ１で示すように、第２の背面偏光板１０６を真正面方向に対して斜め方向に透過した光は、第２の液晶層５８を透過しない。そのため、第２の背面偏光板１０６を透過した光の偏光方向は、第２の液晶層５８の液晶分子によって９０°回転（旋光）されずに、第４の透過軸に平行な方向のままとなる。これにより、第２の背面偏光板１０６を透過した光は、第２の前面偏光板１０４を透過することができないため、第１の液晶層３６の上下左右の端部に配置された第１の画素４０まで到達しない。その結果、ユーザ２０は、画像表示装置１００を真正面方向に対して斜め方向から見た場合に、第１の液晶層３６の上下左右の端部に配置された第１の画素４０を視認することができず、視野角が小さくなるという課題が生じる。
【００３８】
一方、図５に示すように、比較例２に係る画像表示装置１１０では、第２の液晶パネル１１２の第２の液晶セル１１４の第２の液晶層１１６は、ＸＹ平面視で第１の液晶セル２６の第１の液晶層３６よりも大きい。すなわち、第２の液晶層１１６の第２の画素１１８の数は、第１の液晶層３６の第１の画素４０の数よりも多い。なお、第２の液晶パネル１１２の第２の前面偏光板１０４及び第２の背面偏光板１０６の各々の大きさは、上記比較例１と同様である。
【００３９】
図５において矢印Ｐ２で示すように、第２の背面偏光板１０６を真正面方向に対して斜め方向に透過した光は、第２の液晶層１１６を透過する。そのため、第２の背面偏光板１０６を透過した光の偏光方向は、第２の液晶層１１６の液晶分子によって第４の透過軸の方向から９０°回転され、第３の透過軸に平行な方向となる。これにより、第２の背面偏光板１０６を透過した光は、第２の前面偏光板１０４を透過することができ、第１の液晶層３６の上下左右の端部に配置された第１の画素４０まで到達する。その結果、ユーザ２０は、画像表示装置１１０を真正面方向に対して斜め方向から見た場合であっても、第１の液晶層３６の上下左右の端部に配置された第１の画素４０を視認することができる。
【００４０】
しかしながら、このような構成では、特殊な画素数を有する第２の液晶パネル１１２が必要となるため、画像表示装置１１０の製造コストが上昇するという課題が生じる。
【００４１】
これに対して、本実施の形態では、画像表示装置２は、前面１６ａに画像を表示する第１の液晶パネル１６と、前面１８ａが第１の液晶パネル１６の背面１６ｂに対向して配置された第２の液晶パネル１８と、第２の液晶パネル１８の背面１８ｂに光を照射するバックライト１２とを備える。第１の液晶パネル１６は、第１の透過軸２８を有し、第１の液晶パネル１６の前面１６ａに配置された第１の前面偏光板２２と、第１の透過軸２８と異なる方向の第２の透過軸３０を有し、第１の液晶パネル１６の背面１６ｂに配置された第１の背面偏光板２４と、第１の前面偏光板２２と第１の背面偏光板２４との間に配置された第１の液晶セル２６とを有する。第２の液晶パネル１８は、第２の透過軸３０と同じ方向の第３の透過軸５０を有し、第２の液晶パネル１８の前面１８ａに配置された第２の前面偏光板４４と、ＸＹ平面視で第１の背面偏光板２４よりも小さい第２の背面偏光板４６であって、第３の透過軸５０と異なる方向の第４の透過軸５２を有し、第２の液晶パネル１８の背面１８ｂに配置された第２の背面偏光板４６と、第２の前面偏光板４４と第２の背面偏光板４６との間に配置された第２の液晶セル４８とを有する。
【００４２】
これにより、第２の背面偏光板４６は、ＸＹ平面視で第１の背面偏光板２４よりも小さいので、次のような効果を得ることができる。図２において矢印Ｐ３で示すように、バックライト１２から真正面方向に対して斜め方向に出射した光は、第２の液晶パネル１８の第２の背面偏光板４６を透過せずに、第２の背面ガラス基板５６、第２の封止材６２及び第２の前面ガラス基板５４を透過する。第２の前面ガラス基板５４を透過した光は、第２の前面偏光板４４を透過せずに、第１の液晶パネル１６の第１の背面偏光板２４を透過する。そのため、第１の背面偏光板２４を透過した光は、第２の透過軸３０に平行な方向（Ｘ軸方向）に偏光され、第１の液晶セル２６の第１の液晶層３６の上下左右の端部に配置された第１の画素４０まで到達する。その結果、ユーザ２０は、画像表示装置２を真正面方向に対して斜め方向から見た場合であっても、第１の液晶層３６の上下左右の端部に配置された第１の画素４０を視認することができ、視野角を拡大することができる。さらに、第２の液晶パネル１８の画素数は第１の液晶パネル１６の画素数と同じで済むため、画像表示装置２の製造コストを低減することができる。
【００４３】
さらに、第２の液晶セル４８は、第２の前面偏光板４４に対向して配置された第２の前面ガラス基板５４と、第２の背面偏光板４６に対向して配置された第２の背面ガラス基板５６と、第２の前面ガラス基板５４と第２の背面ガラス基板５６との間に配置された第２の液晶層５８と、第２の前面ガラス基板５４と第２の背面ガラス基板５６との間に配置され、第２の液晶層５８の外周部を封止する第２の封止材６２とを有する。第２の背面偏光板４６と第２の液晶層５８とは、ＸＹ平面視で同じ大きさである。
【００４４】
これにより、第２の背面偏光板４６の大きさを最小限に抑えることができる。その結果、ユーザ２０が画像表示装置２を真正面方向に対して斜め方向から見た場合に、バックライト１２からの光を第１の液晶層３６の上下左右の端部に配置された第１の画素４０により確実に到達させることができる。
【００４５】
さらに、第２の前面偏光板４４は、ＸＹ平面視で第１の背面偏光板２４よりも小さい。
【００４６】
これにより、バックライト１２からの光を第１の液晶層３６の上下左右の端部に配置された第１の画素４０に効率良く到達させることができる。
【００４７】
（実施の形態２）
［２−１．画像表示装置の構成］
図６を参照しながら、実施の形態２に係る画像表示装置２Ａの構成について説明する。図６は、実施の形態２に係る画像表示装置２Ａを示す要部断面図である。なお、以下の各実施の形態において、上記実施の形態１と同一の構成要素には同一の符号を付して、その説明を省略する。
【００４８】
図６に示すように、実施の形態２に係る画像表示装置２Ａの液晶モジュール４Ａは、上記実施の形態１で説明した構成要素に加えて、導光板６４を備えている。導光板６４は、バックライト１２からの光を第１の液晶パネル１６の背面１６ｂに導くための光学部材である。導光板６４は、ＸＹ平面視で矩形状の枠状に形成されており、第２の液晶パネル１８の外周部１８ｃの全周に亘って対向して配置されている。また、導光板６４は、ＹＺ断面視でＬ字状に形成されている。導光板６４の一端部６４ａは、第２の前面偏光板４４に対応する位置に配置されている。導光板６４の他端部６４ｂは、第２の背面ガラス基板５６とクッション部材１９ｂとの間に挟持されている。
【００４９】
なお、仮に、導光板６４からの光が第１の液晶パネル１６の外周部１６ｃに入射した場合には、液晶モジュール４Ａの表示画面（第１の前面偏光板２２）の外周部が意図せず明るくなってしまう。そのため、導光板６４からの光が第１の液晶パネル１６の外周部１６ｃに入射しないように、導光板６４の一端部６４ａは、第２の前面偏光板４４に対応する位置よりもバックライト１２側（Ｚ軸のマイナス側）に配置されているのが好ましい。第１の封止材４２が透光性を有しない場合には、導光板６４の一端部６４ａは、第１の封止材４２に対応する位置よりもバックライト１２側に配置されていてもよい。
【００５０】
［２−２．効果］
上述したように、本実施の形態では、画像表示装置２Ａは、さらに、第２の液晶パネル１８Ａの外周部１８ｃに対向して配置され、バックライト１２からの光を第１の液晶パネル１６の背面１６ｂに導くための導光板６４を備える。
【００５１】
これにより、バックライト１２からの光の一部は、導光板６４の他端部６４ｂに入射し、導光板６４の内部へと導かれる。導光板６４から出射した光は、図６において矢印Ｐ４で示すように、第２の液晶パネル１８の外周部１８ｃに入射し、第２の封止材６２及び第２の前面ガラス基板５４を透過する。第２の前面ガラス基板５４を透過した光は、第２の前面偏光板４４を透過せずに、第１の液晶パネル１６の第１の背面偏光板２４を透過する。そのため、第１の背面偏光板２４を透過した光は、第２の透過軸３０に平行な方向（Ｘ軸方向）に偏光され、第１の背面ガラス基板３４を透過した後に、第１の液晶セル２６の第１の液晶層３６の上下左右の端部に配置された第１の画素４０まで到達する。その結果、ユーザ２０は、画像表示装置２Ａを真正面方向に対してより角度の大きい斜め方向から見た場合であっても、第１の液晶層３６の上下左右の端部に配置された第１の画素４０を視認することができ、視野角をより拡大することができる。
【００５２】
（実施の形態３）
［３−１．画像表示装置の構成］
次に、図７を参照しながら、実施の形態３に係る画像表示装置２Ｂの構成について説明する。図７は、実施の形態３に係る画像表示装置２Ｂを示す要部断面図である。
【００５３】
図７に示すように、実施の形態３に係る画像表示装置２Ｂの液晶モジュール４Ｂは、上記実施の形態１で説明した構成要素に加えて、固定テープ６６（反射部材の一例）を備えている。固定テープ６６は、第１の液晶パネル１６と第２の液晶パネル１８とを固定するための粘着テープである。固定テープ６６の粘着面は、第１の液晶パネル１６及び第２の液晶パネル１８の各四辺にそれぞれ貼り付けられ、且つ、第１の液晶パネル１６の外周部１６ｃから第２の液晶パネル１８の外周部１８ｃに亘って貼り付けられている。さらに、固定テープ６６の粘着面には、バックライト１２からの光を第１の液晶パネル１６の背面１６ｂに向けて反射するための反射面６８が形成されている。反射面６８は、固定テープ６６の粘着面のうち、第２の液晶パネル１８の外周部１８ｃに対向する領域７０に形成されている。
【００５４】
なお、上記実施の形態２で説明したように、固定テープ６６の反射面６８で反射した光が第１の液晶パネル１６の外周部１６ｃに入射しないように、反射面６８は、固定テープ６６の粘着面のうち、第２の液晶パネル１８の外周部１８ｃに対向する領域７０にのみ形成されているのが好ましい。第１の封止材４２が透光性を有しない場合には、反射面６８は、固定テープ６６の粘着面の全領域に形成されていてもよい。
【００５５】
［３−２．効果］
上述したように、本実施の形態では、画像表示装置２Ｂは、さらに、第２の液晶パネル１８の外周部１８ｃに対向して配置され、バックライト１２からの光を第１の液晶パネル１６の背面１６ｂに向けて反射するための反射面６８を有する固定テープ６６を備える。
【００５６】
これにより、バックライト１２からの光の一部は、第２の液晶パネル１８の第２の背面偏光板４６を透過せずに、例えば第２の背面ガラス基板５６及び第２の封止材６２を透過し、固定テープ６６の反射面６８で反射する。固定テープ６６の反射面６８で反射した光は、図７において矢印Ｐ５で示すように、第２の液晶パネル１８の外周部１８ｃに入射し、第２の封止材６２及び第２の前面ガラス基板５４を透過する。第２の前面ガラス基板５４を透過した光は、第２の前面偏光板４４を透過せずに、第１の液晶パネル１６の第１の背面偏光板２４を透過する。そのため、第１の背面偏光板２４を透過した光は、第２の透過軸に平行な方向（Ｘ軸方向）に偏光され、第１の背面ガラス基板３４を透過した後に、第１の液晶セル２６の第１の液晶層３６の上下左右の端部に配置された第１の画素４０まで到達する。その結果、ユーザ２０は、画像表示装置２Ｂを真正面方向に対してより角度の大きい斜め方向から見た場合であっても、第１の液晶層３６の上下左右の端部に配置された第１の画素４０を視認することができ、視野角をより拡大することができる。
【００５７】
さらに、反射部材は、第１の液晶パネル１６の外周部１６ｃから第２の液晶パネル１８の外周部１８ｃに亘って貼り付けられ、少なくとも第２の液晶パネル１８の外周部１８ｃに対向する領域７０に反射面６８が形成された固定テープ６６である。
【００５８】
これにより、第１の液晶パネル１６と第２の液晶パネル１８とを固定する機能と、バックライト１２からの光を第１の液晶パネル１６の背面１６ｂに向けて反射する機能とを、固定テープ６６に持たせることができる。
【００５９】
なお、バックライト１２からの光を第１の液晶パネル１６の背面１６ｂに向けて反射する機能のみを固定テープ６６に持たせてもよい。この場合、固定テープ６６は、例えば下フレーム１０の内面（第２の液晶パネル１８の外周部１８ｃに対向する面）に貼り付けられる。
【００６０】
（変形例）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態１〜３で説明した各構成要素を組み合わせて、新たな実施の形態とすることも可能である。
【００６１】
そこで、以下、他の実施の形態を例示する。
【００６２】
上記各実施の形態では、第１の液晶パネル１６及び第２の液晶パネル１８の各々をツイステッドネマティック型の液晶パネルとしたが、これに限定されず、例えば、インプレイン・スイッチング（Ｉｎ−Ｐｌａｎｅ  Ｓｗｉｔｃｈｉｎｇ）型の液晶パネル、バーチカルアライメント型の液晶パネル、ブルー相液晶パネル、強誘電性液晶パネル、ＯＣＢ（Ｏｐｔｉｃａｌｌｙ  Ｃｏｍｐｅｎｓａｔｅｄ  Ｂｅｎｄ）型の液晶パネル、又は、ゲスト−ホスト型の液晶パネル等としてもよい。あるいは、第１の液晶パネル１６及び第２の液晶パネル１８を、上記の中から２種類の液晶パネルを適宜組み合わせて構成してもよい。
【００６３】
上記各実施の形態では、バックライト１２を直下型のバックライトとしたが、これに限定されず、例えばエッジ型のバックライトとしてもよい。
【００６４】
上記実施の形態２及び３ではそれぞれ、導光板６４及び固定テープ６６を配置したが、これらの導光板６４及び固定テープ６６に代えて、例えばＬＥＤ等の光源を複数配置してもよい。この場合、複数の光源は、第２の液晶パネル１８の外周部１８ｃの全周に亘って対向して配置される。複数の光源の各々からの光は、第２の液晶パネル１８の外周部１８ｃに入射するので、上記実施の形態２及び３と同様の効果を得ることができる。
【００６５】
上記各実施の形態では、第２の前面偏光板４４をＸＹ平面視で第１の背面偏光板２４よりも小さくしたが、これに限定されず、第２の前面偏光板４４をＸＹ平面視で第１の背面偏光板２４と同じ大きさにしてもよい。これにより、第１の背面偏光板２４と第２の前面偏光板４４との接着剤による接着面積を大きく確保することができる。
【００６６】
以上のように、本開示における技術の例示として、実施の形態を説明した。そのために、添付図面及び詳細な説明を提供した。
【００６７】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６８】
また、上述の実施の形態は、本開示における技術を例示するためのものであるから、請求の範囲又はその均等の範囲において種々の変更、置き換え、付加、省略などを行うことができる。
【産業上の利用可能性】
【００６９】
本開示は、画像を表示する画像表示装置に適用可能である。具体的には、例えば液晶テレビジョン受像機等に、本開示は適用可能である。
【符号の説明】
【００７０】
２，２Ａ，２Ｂ，１００，１１０  画像表示装置
４，４Ａ，４Ｂ  液晶モジュール
６  バックカバー
８  スタンド
１０  下フレーム
１２  バックライト
１４  上フレーム
１６  第１の液晶パネル
１６ａ，１８ａ  前面
１６ｂ，１８ｂ  背面
１６ｃ，１８ｃ  外周部
１８，１０２，１１２  第２の液晶パネル
１９ａ，１９ｂ  クッション部材
２０  ユーザ
２２  第１の前面偏光板
２４  第１の背面偏光板
２６  第１の液晶セル
２８  第１の透過軸
３０  第２の透過軸
３２  第１の前面ガラス基板
３４  第１の背面ガラス基板
３６  第１の液晶層
３８  カラーフィルタ
４０  第１の画素
４２  第１の封止材
４４，１０４  第２の前面偏光板
４６，１０６  第２の背面偏光板
４８，１１４  第２の液晶セル
５０  第３の透過軸
５２  第４の透過軸
５４  第２の前面ガラス基板
５６  第２の背面ガラス基板
５８，１１６  第２の液晶層
６０，１１８  第２の画素
６２  第２の封止材
６４  導光板
６４ａ  一端部
６４ｂ  他端部
６６  固定テープ
６８  反射面
７０  領域
【図１】
2019116618.tif 000003
【図２】
2019116618.tif 000004
【図３】
2019116618.tif 000005
【図４】
2019116618.tif 000006
【図５】
2019116618.tif 000007
【図６】
2019116618.tif 000008
【図７】
2019116618.tif 000009
【手続補正書】
【提出日】令和1年5月22日(2019.5.22)
【手続補正１】
【補正対象書類名】明細書
【補正対象項目名】全文
【補正方法】変更
【補正の内容】
【発明の詳細な説明】
【技術分野】
【０００１】
本開示は、画像を表示する画像表示装置に関する。
【背景技術】
【０００２】
特許文献１には、２枚の液晶パネル（ＬＣＤ：Ｌｉｑｕｉｄ  Ｃｒｙｓｔａｌ  Ｄｉｓｐｌａｙ）が重ね合わされた画像表示装置が開示されている。この種の画像表示装置では、液晶パネルを１枚だけ用いた場合と比べて、バックライトからの光漏れが抑制されるため、黒輝度を低減して、高いコントラストで画像を表示することができる。
【先行技術文献】
【特許文献】
【０００３】
【特許文献１】国際公開第２００７／１０８１８３号
【発明の概要】
【発明が解決しようとする課題】
【０００４】
本開示は、視野角を拡大することができる画像表示装置を提供する。
【課題を解決するための手段】
【０００５】
本開示における画像表示装置は、前面に画像を表示する第１の液晶パネルと、前面が第１の液晶パネルの背面に対向して配置された第２の液晶パネルと、第２の液晶パネルの背面に光を照射するバックライトと、を備え、第１の液晶パネルは、第１の透過軸を有し、第１の液晶パネルの前面に配置された第１の前面偏光板と、第１の透過軸と異なる方向の第２の透過軸を有し、第１の液晶パネルの背面に配置された第１の背面偏光板と、第１の前面偏光板と第１の背面偏光板との間に配置された第１の液晶セルと、を有し、第２の液晶パネルは、第２の透過軸と同じ方向の第３の透過軸を有し、第２の液晶パネルの前面に配置された第２の前面偏光板と、平面視で第１の背面偏光板よりも小さい第２の背面偏光板であって、第３の透過軸と異なる方向の第４の透過軸を有し、第２の液晶パネルの背面に配置された第２の背面偏光板と、第２の前面偏光板と第２の背面偏光板との間に配置された第２の液晶セルと、を有する。
【発明の効果】
【０００６】
本開示における画像表示装置によれば、視野角を拡大することができる。
【図面の簡単な説明】
【０００７】
【図１】図１は、実施の形態１に係る画像表示装置の正面側の外観を示す斜視図である。
【図２】図２は、図１のＩＩ−ＩＩ線による、実施の形態１に係る画像表示装置を示す要部断面図である。
【図３】図３は、実施の形態１に係る液晶モジュールの一部を分解して示す分解斜視図である。
【図４】図４は、比較例１に係る画像表示装置を示す要部断面図である。
【図５】図５は、比較例２に係る画像表示装置を示す要部断面図である。
【図６】図６は、実施の形態２に係る画像表示装置を示す要部断面図である。
【図７】図７は、実施の形態３に係る画像表示装置を示す要部断面図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者らは、当業者が本開示を十分に理解するために添付図面及び以下の説明を提供するのであって、これらによって請求の範囲に記載の主題を限定することを意図するものではない。
【００１０】
（実施の形態１）
［１−１．画像表示装置の構成］
まず、図１〜図３を参照しながら、実施の形態１に係る画像表示装置２の構成について説明する。図１は、実施の形態１に係る画像表示装置２の正面側の外観を示す斜視図である。図２は、図１のＩＩ−ＩＩ線による、実施の形態１に係る画像表示装置２を示す要部断面図である。図３は、実施の形態１に係る液晶モジュール４の一部を分解して示す分解斜視図である。
【００１１】
図１に示すように、画像表示装置２は、例えばフラットパネルディスプレイ型の液晶テレビジョン受像機である。画像表示装置２は、液晶モジュール４と、液晶モジュール４の背面を覆うバックカバー６と、液晶モジュール４を支持するスタンド８とを備えている。
【００１２】
液晶モジュール４は、画像（静止画及び動画を含む）を表示するためのユニットである。図２及び図３に示すように、液晶モジュール４は、下フレーム１０と、バックライト１２と、上フレーム１４と、第１の液晶パネル１６と、第２の液晶パネル１８とを備えている。なお、説明の都合上、図２ではバックカバー６の図示を省略し、図３では下フレーム１０及び上フレーム１４の図示を省略してある。
【００１３】
下フレーム１０は、バックライト１２等を支持するための部材である。下フレーム１０は、例えばポリカーボネート等の樹脂で形成されている。
【００１４】
バックライト１２は、例えば直下型のバックライトであり、下フレーム１０に支持されている。図示しないが、バックライト１２は、複数のＬＥＤ（Ｌｉｇｈｔ  Ｅｍｉｔｔｉｎｇ  Ｄｉｏｄｅ）と、複数のＬＥＤからの光を反射する反射シートと、複数のＬＥＤからの光を拡散する拡散板と、拡散板からの光を集光等させるための光学シートとを有している。バックライト１２は、第２の液晶パネル１８の背面１８ｂ（バックライト１２に近い側の面）に向けて光を照射する。なお、バックライト１２からの光には、あらゆる偏光方向の光が含まれている。
【００１５】
上フレーム１４は、第１の液晶パネル１６の外周部１６ｃ及び第２の液晶パネル１８の外周部１８ｃを保護するための部材である。上フレーム１４は、ＸＹ平面視で矩形状の枠状に形成され、第１の液晶パネル１６の外周部１６ｃ及び第２の液晶パネル１８の外周部１８ｃを覆うようにして配置されている。上フレーム１４は、例えばポリカーボネート等の樹脂で形成されている。図２に示すように、上フレーム１４は、第１の液晶パネル１６及び第２の液晶パネル１８を下フレーム１０との間で挟持する。上フレーム１４と第１の液晶パネル１６の前面１６ａ（バックライト１２から遠い側の面）との間にはクッション部材１９ａが挟持され、下フレーム１０と第２の液晶パネル１８の背面１８ｂとの間にはクッション部材１９ｂが挟持されている。
【００１６】
第１の液晶パネル１６は、例えば液晶分子の配向方向が９０°ツイストしたツイステッドネマティック（Ｔｗｉｓｔｅｄ  Ｎｅｍａｔｉｃ）型の液晶パネルであり、ＸＹ平面視で矩形状に形成されている。第１の液晶パネル１６の前面１６ａには、第１の画像が表示される。
【００１７】
図２及び図３に示すように、第１の液晶パネル１６は、第１の前面偏光板２２と、第１の背面偏光板２４と、第１の液晶セル２６とを有している。これらの第１の前面偏光板２２、第１の液晶セル２６及び第１の背面偏光板２４は、画像表示装置２を視聴するユーザ２０から見て手前側から奥側へ（Ｚ軸のプラス側からマイナス側へ）この順に重ね合わされている。なお、第１の前面偏光板２２、第１の液晶セル２６及び第１の背面偏光板２４は、ＸＹ平面視で同じ大きさである。
【００１８】
図２及び図３に示すように、第１の前面偏光板２２は、ＸＹ平面視で矩形状に形成され、第１の液晶パネル１６の前面１６ａに配置されている。第１の前面偏光板２２の厚みは、例えば０．３ｍｍである。図３に示すように、第１の前面偏光板２２は、当該第１の前面偏光板２２を透過する光の偏光方向を示す第１の透過軸２８を有している。すなわち、第１の前面偏光板２２は、第１の液晶セル２６から第１の前面偏光板２２に入射した光のうち、第１の透過軸２８に平行な偏光方向の光のみを透過させる。なお、第１の透過軸２８の方向は、例えばＹ軸方向である。
【００１９】
図２及び図３に示すように、第１の背面偏光板２４は、ＸＹ平面視で矩形状に形成され、第１の液晶パネル１６の背面１６ｂ（バックライト１２に近い側の面）に配置されている。第１の背面偏光板２４の厚みは、例えば０．３ｍｍである。図３に示すように、第１の背面偏光板２４は、当該第１の背面偏光板２４を透過する光の偏光方向を示す第２の透過軸３０を有している。すなわち、第１の背面偏光板２４は、第２の液晶パネル１８から第１の背面偏光板２４に入射した光のうち、第２の透過軸３０に平行な偏光方向の光のみを透過させる。なお、第２の透過軸３０の方向は、第１の前面偏光板２２の第１の透過軸２８に垂直な方向（第１の透過軸２８と異なる方向の一例）であり、例えばＸ軸方向である。
【００２０】
図２及び図３に示すように、第１の液晶セル２６は、第１の前面偏光板２２と第１の背面偏光板２４との間に配置されている。第１の液晶セル２６は、第１の前面ガラス基板３２と、第１の背面ガラス基板３４と、第１の液晶層３６と、カラーフィルタ３８とを有している。
【００２１】
第１の前面ガラス基板３２及び第１の背面ガラス基板３４の各々は、透光性を有する材料、例えば透明なガラスで形成されている。第１の前面ガラス基板３２及び第１の背面ガラス基板３４は、ＸＹ平面視で同じ大きさの矩形状に形成されており、互いに対向して配置されている。第１の前面ガラス基板３２は第１の前面偏光板２２に対向して配置され、第１の背面ガラス基板３４は第１の背面偏光板２４に対向して配置されている。なお、第１の前面ガラス基板３２は、ＸＹ平面視で第１の前面偏光板２２と同じ大きさであり、第１の背面ガラス基板３４は、ＸＹ平面視で第１の背面偏光板２４と同じ大きさである。
【００２２】
第１の液晶層３６は、例えばツイステッドネマティック型の液晶分子で形成された液晶層であり、第１の前面ガラス基板３２と第１の背面ガラス基板３４との間に配置されている。第１の液晶層３６は、ＸＹ平面視で矩形状に形成され、マトリクス状に配置された複数の第１の画素４０を有している。図２では、説明の都合上、第１の液晶層３６の上端部に配置された第１の画素４０のみを図示してある。第１の液晶層３６の外周部は、その全周に亘って第１の封止材４２により封止されている。すなわち、第１の液晶層３６は、ＸＹ平面視で第１の前面ガラス基板３２及び第１の背面ガラス基板３４の各々よりも小さい。なお、第１の前面ガラス基板３２及び第１の背面ガラス基板３４は、第１の封止材４２を介して互いに貼り合わされている。
【００２３】
カラーフィルタ３８は、特定の波長域の光のみを透過させるためのフィルタであり、第１の前面ガラス基板３２と第１の液晶層３６との間に配置されている。カラーフィルタ３８は、第１の液晶層３６の複数の第１の画素４０にそれぞれ対応して配置された複数のＲＧＢフィルタ（図示せず）を有している。複数のＲＧＢフィルタの各々は、赤（Ｒ）フィルタ、緑（Ｇ）フィルタ及び青（Ｂ）フィルタを有している。
【００２４】
なお、図示しないが、第１の前面ガラス基板３２と第１の背面ガラス基板３４との間には、上述した第１の液晶層３６及びカラーフィルタ３８以外に、ａ）第１の液晶層３６の液晶分子を配向させる配向膜、ｂ）薄膜トランジスタ（ＴＦＴ：Ｔｈｉｎ  Ｆｉｌｍ  Ｔｒａｎｓｉｓｔｏｒ）で形成された、液晶分子を駆動するための電圧を印加する電極、ｃ）上記電極を覆う絶縁膜、及び、ｄ）カラーフィルタ３８の赤フィルタ、緑フィルタ及び青フィルタの間を遮光するブラックマトリクス等が配置されている。
【００２５】
第２の液晶パネル１８は、例えばツイステッドネマティック型の液晶パネルであり、ＸＹ平面視で矩形状に形成されている。第２の液晶パネル１８の前面１８ａ（バックライト１２から遠い側の面）には、第２の画像が表示される。第１の液晶パネル１６及び第２の液晶パネル１８は、互いに重ね合わされており、例えば接着剤等により互いに接着されている。第２の液晶パネル１８の前面１８ａは、第１の液晶パネル１６の背面１６ｂに対向して配置されている。
【００２６】
図２及び図３に示すように、第２の液晶パネル１８は、第２の前面偏光板４４と、第２の背面偏光板４６と、第２の液晶セル４８とを有している。これらの第２の前面偏光板４４、第２の液晶セル４８及び第２の背面偏光板４６は、画像表示装置２を視聴するユーザ２０から見て手前側から奥側へこの順に重ね合わされている。
【００２７】
第２の前面偏光板４４及び第２の背面偏光板４６は、ＸＹ平面視で同じ大きさであり、且つ、ＸＹ平面視で第２の液晶セル４８よりも小さい。また、第２の前面偏光板４４及び第２の背面偏光板４６は、ＸＹ平面視で第２の液晶セル４８の第２の液晶層５８と同じ大きさであり、且つ、ＸＹ平面視で第１の背面偏光板２４よりも小さい。すなわち、第２の前面偏光板４４及び第２の背面偏光板４６の各外周部は、ＸＹ平面視で第２の液晶セル４８の第２の液晶層５８の外周部と重なっている。なお、図３では、大きさの比較を分かりやすくするために、第１の背面偏光板２４の大きさを示す二点鎖線の枠線Ｆを、第２の前面偏光板４４及び第２の背面偏光板４６の各々に重ね合わせて図示してある。
【００２８】
図２及び図３に示すように、第２の前面偏光板４４は、ＸＹ平面視で矩形状に形成され、第２の液晶パネル１８の前面１８ａに配置されている。第２の前面偏光板４４の厚みは、例えば０．３ｍｍである。図３に示すように、第２の前面偏光板４４は、当該第２の前面偏光板４４を透過する光の偏光方向を示す第３の透過軸５０を有している。すなわち、第２の前面偏光板４４は、第２の液晶セル４８から第２の前面偏光板４４に入射した光のうち、第３の透過軸５０に平行な偏光方向の光のみを透過させる。なお、第３の透過軸５０の方向は、第１の背面偏光板２４の第２の透過軸３０と同じ方向であり、例えばＸ軸方向である。
【００２９】
図２及び図３に示すように、第２の背面偏光板４６は、ＸＹ平面視で矩形状に形成され、第２の液晶パネル１８の背面１８ｂに配置されている。第２の背面偏光板４６の厚みは、例えば０．３ｍｍである。図３に示すように、第２の背面偏光板４６は、当該第２の背面偏光板４６を透過する光の偏光方向を示す第４の透過軸５２を有している。すなわち、第２の背面偏光板４６は、バックライト１２から第２の背面偏光板４６に入射した光のうち、第４の透過軸５２に平行な偏光方向の光のみを透過させる。なお、第４の透過軸５２の方向は、第２の前面偏光板４４の第３の透過軸５０に垂直な方向（第３の透過軸５０と異なる方向の一例）であり、例えばＹ軸方向である。
【００３０】
図２及び図３に示すように、第２の液晶セル４８は、第２の前面偏光板４４と第２の背面偏光板４６との間に配置されている。第２の液晶セル４８は、第２の前面ガラス基板５４（前面透明基板の一例）と、第２の背面ガラス基板５６（背面透明基板の一例）と、第２の液晶層５８（液晶層の一例）とを有している。
【００３１】
第２の前面ガラス基板５４及び第２の背面ガラス基板５６の各々は、透光性を有する材料、例えば透明なガラスで形成されている。第２の前面ガラス基板５４及び第２の背面ガラス基板５６は、ＸＹ平面視で同じ大きさの矩形状に形成されており、互いに対向して配置されている。第２の前面ガラス基板５４は第２の前面偏光板４４に対向して配置され、第２の背面ガラス基板５６は第２の背面偏光板４６に対向して配置されている。なお、第２の前面ガラス基板５４は、ＸＹ平面視で第２の前面偏光板４４よりも大きく、第２の背面ガラス基板５６は、ＸＹ平面視で第２の背面偏光板４６よりも大きい。
【００３２】
第２の液晶層５８は、例えばツイステッドネマティック型の液晶分子で形成された液晶層であり、第２の前面ガラス基板５４と第２の背面ガラス基板５６との間に配置されている。第２の液晶層５８は、ＸＹ平面視で矩形状に形成され、マトリクス状に配置された複数の第２の画素６０を有している。図２では、説明の都合上、第２の液晶層５８の上端部に配置された第２の画素６０のみを図示してある。第２の液晶層５８の外周部は、その全周に亘って透明な第２の封止材６２（封止材の一例）により封止されている。すなわち、第２の液晶層５８は、ＸＹ平面視で第２の前面ガラス基板５４及び第２の背面ガラス基板５６の各々よりも小さい。なお、第２の前面ガラス基板５４及び第２の背面ガラス基板５６は、第２の封止材６２を介して互いに貼り合わされている。
【００３３】
なお、図示しないが、第２の前面ガラス基板５４と第２の背面ガラス基板５６との間には、上述した第２の液晶層５８以外に、ａ）第２の液晶層５８の液晶分子を配向させる配向膜、ｂ）薄膜トランジスタで形成された、液晶分子を駆動するための電圧を印加する電極、及び、ｃ）上記電極を覆う絶縁膜等が配置されている。
【００３４】
［１−２．効果］
次に、図２、図４及び図５を参照しながら、実施の形態１に係る画像表示装置２により得られる効果について説明する。図４は、比較例１に係る画像表示装置１００を示す要部断面図である。図５は、比較例２に係る画像表示装置１１０を示す要部断面図である。図４及び図５では、図２に示す画像表示装置２と同一の構成要素には同一の符号を付して、その説明を省略する。
【００３５】
図４に示すように、比較例１に係る画像表示装置１００では、第２の液晶パネル１０２の第２の前面偏光板１０４及び第２の背面偏光板１０６の各々は、ＸＹ平面視で同じ大きさであり、且つ、ＸＹ平面視で第１の背面偏光板２４と同じ大きさである。すなわち、第２の前面偏光板１０４及び第２の背面偏光板１０６の各々は、ＸＹ平面視で第２の液晶セル４８の第２の液晶層５８よりも大きい。
【００３６】
しかしながら、このような構成では、ユーザ２０が画像表示装置１００を真正面方向（Ｚ軸方向）に対して斜め方向から見た場合に、第１の液晶パネル１６の第１の液晶層３６の上下左右の端部に配置された第１の画素４０を視認することができない。以下、その理由について説明する。
【００３７】
バックライト１２からの光は、第２の液晶パネル１０２の第２の背面偏光板１０６を透過することにより、第４の透過軸に平行な方向（Ｙ軸方向）に偏光される。このとき、図４において矢印Ｐ１で示すように、第２の背面偏光板１０６を真正面方向に対して斜め方向に透過した光は、第２の液晶層５８を透過しない。そのため、第２の背面偏光板１０６を透過した光の偏光方向は、第２の液晶層５８の液晶分子によって９０°回転（旋光）されずに、第４の透過軸に平行な方向のままとなる。これにより、第２の背面偏光板１０６を透過した光は、第２の前面偏光板１０４を透過することができないため、第１の液晶層３６の上下左右の端部に配置された第１の画素４０まで到達しない。その結果、ユーザ２０は、画像表示装置１００を真正面方向に対して斜め方向から見た場合に、第１の液晶層３６の上下左右の端部に配置された第１の画素４０を視認することができず、視野角が小さくなるという課題が生じる。
【００３８】
一方、図５に示すように、比較例２に係る画像表示装置１１０では、第２の液晶パネル１１２の第２の液晶セル１１４の第２の液晶層１１６は、ＸＹ平面視で第１の液晶セル２６の第１の液晶層３６よりも大きい。すなわち、第２の液晶層１１６の第２の画素１１８の数は、第１の液晶層３６の第１の画素４０の数よりも多い。なお、第２の液晶パネル１１２の第２の前面偏光板１０４及び第２の背面偏光板１０６の各々の大きさは、上記比較例１と同様である。
【００３９】
図５において矢印Ｐ２で示すように、第２の背面偏光板１０６を真正面方向に対して斜め方向に透過した光は、第２の液晶層１１６を透過する。そのため、第２の背面偏光板１０６を透過した光の偏光方向は、第２の液晶層１１６の液晶分子によって第４の透過軸の方向から９０°回転され、第３の透過軸に平行な方向となる。これにより、第２の背面偏光板１０６を透過した光は、第２の前面偏光板１０４を透過することができ、第１の液晶層３６の上下左右の端部に配置された第１の画素４０まで到達する。その結果、ユーザ２０は、画像表示装置１１０を真正面方向に対して斜め方向から見た場合であっても、第１の液晶層３６の上下左右の端部に配置された第１の画素４０を視認することができる。
【００４０】
しかしながら、このような構成では、特殊な画素数を有する第２の液晶パネル１１２が必要となるため、画像表示装置１１０の製造コストが上昇するという課題が生じる。
【００４１】
これに対して、本実施の形態では、画像表示装置２は、前面１６ａに画像を表示する第１の液晶パネル１６と、前面１８ａが第１の液晶パネル１６の背面１６ｂに対向して配置された第２の液晶パネル１８と、第２の液晶パネル１８の背面１８ｂに光を照射するバックライト１２とを備える。第１の液晶パネル１６は、第１の透過軸２８を有し、第１の液晶パネル１６の前面１６ａに配置された第１の前面偏光板２２と、第１の透過軸２８と異なる方向の第２の透過軸３０を有し、第１の液晶パネル１６の背面１６ｂに配置された第１の背面偏光板２４と、第１の前面偏光板２２と第１の背面偏光板２４との間に配置された第１の液晶セル２６とを有する。第２の液晶パネル１８は、第２の透過軸３０と同じ方向の第３の透過軸５０を有し、第２の液晶パネル１８の前面１８ａに配置された第２の前面偏光板４４と、ＸＹ平面視で第１の背面偏光板２４よりも小さい第２の背面偏光板４６であって、第３の透過軸５０と異なる方向の第４の透過軸５２を有し、第２の液晶パネル１８の背面１８ｂに配置された第２の背面偏光板４６と、第２の前面偏光板４４と第２の背面偏光板４６との間に配置された第２の液晶セル４８とを有する。
【００４２】
これにより、第２の背面偏光板４６は、ＸＹ平面視で第１の背面偏光板２４よりも小さいので、次のような効果を得ることができる。図２において矢印Ｐ３で示すように、バックライト１２から真正面方向に対して斜め方向に出射した光は、第２の液晶パネル１８の第２の背面偏光板４６を透過せずに、第２の背面ガラス基板５６、第２の封止材６２及び第２の前面ガラス基板５４を透過する。第２の前面ガラス基板５４を透過した光は、第２の前面偏光板４４を透過せずに、第１の液晶パネル１６の第１の背面偏光板２４を透過する。そのため、第１の背面偏光板２４を透過した光は、第２の透過軸３０に平行な方向（Ｘ軸方向）に偏光され、第１の液晶セル２６の第１の液晶層３６の上下左右の端部に配置された第１の画素４０まで到達する。その結果、ユーザ２０は、画像表示装置２を真正面方向に対して斜め方向から見た場合であっても、第１の液晶層３６の上下左右の端部に配置された第１の画素４０を視認することができ、視野角を拡大することができる。さらに、第２の液晶パネル１８の画素数は第１の液晶パネル１６の画素数と同じで済むため、画像表示装置２の製造コストを低減することができる。
【００４３】
さらに、第２の液晶セル４８は、第２の前面偏光板４４に対向して配置された第２の前面ガラス基板５４と、第２の背面偏光板４６に対向して配置された第２の背面ガラス基板５６と、第２の前面ガラス基板５４と第２の背面ガラス基板５６との間に配置された第２の液晶層５８と、第２の前面ガラス基板５４と第２の背面ガラス基板５６との間に配置され、第２の液晶層５８の外周部を封止する第２の封止材６２とを有する。第２の背面偏光板４６と第２の液晶層５８とは、ＸＹ平面視で同じ大きさである。
【００４４】
これにより、第２の背面偏光板４６の大きさを最小限に抑えることができる。その結果、ユーザ２０が画像表示装置２を真正面方向に対して斜め方向から見た場合に、バックライト１２からの光を第１の液晶層３６の上下左右の端部に配置された第１の画素４０により確実に到達させることができる。
【００４５】
さらに、第２の前面偏光板４４は、ＸＹ平面視で第１の背面偏光板２４よりも小さい。
【００４６】
これにより、バックライト１２からの光を第１の液晶層３６の上下左右の端部に配置された第１の画素４０に効率良く到達させることができる。
【００４７】
（実施の形態２）
［２−１．画像表示装置の構成］
図６を参照しながら、実施の形態２に係る画像表示装置２Ａの構成について説明する。図６は、実施の形態２に係る画像表示装置２Ａを示す要部断面図である。なお、以下の各実施の形態において、上記実施の形態１と同一の構成要素には同一の符号を付して、その説明を省略する。
【００４８】
図６に示すように、実施の形態２に係る画像表示装置２Ａの液晶モジュール４Ａは、上記実施の形態１で説明した構成要素に加えて、導光板６４を備えている。導光板６４は、バックライト１２からの光を第１の液晶パネル１６の背面１６ｂに導くための光学部材である。導光板６４は、ＸＹ平面視で矩形状の枠状に形成されており、第２の液晶パネル１８の外周部１８ｃの全周に亘って対向して配置されている。また、導光板６４は、ＹＺ断面視でＬ字状に形成されている。導光板６４の一端部６４ａは、第２の前面偏光板４４に対応する位置に配置されている。導光板６４の他端部６４ｂは、第２の背面ガラス基板５６とクッション部材１９ｂとの間に挟持されている。
【００４９】
なお、仮に、導光板６４からの光が第１の液晶パネル１６の外周部１６ｃに入射した場合には、液晶モジュール４Ａの表示画面（第１の前面偏光板２２）の外周部が意図せず明るくなってしまう。そのため、導光板６４からの光が第１の液晶パネル１６の外周部１６ｃに入射しないように、導光板６４の一端部６４ａは、第２の前面偏光板４４に対応する位置よりもバックライト１２側（Ｚ軸のマイナス側）に配置されているのが好ましい。第１の封止材４２が透光性を有しない場合には、導光板６４の一端部６４ａは、第１の封止材４２に対応する位置よりもバックライト１２側に配置されていてもよい。
【００５０】
［２−２．効果］
上述したように、本実施の形態では、画像表示装置２Ａは、さらに、第２の液晶パネル１８Ａの外周部１８ｃに対向して配置され、バックライト１２からの光を第１の液晶パネル１６の背面１６ｂに導くための導光板６４を備える。
【００５１】
これにより、バックライト１２からの光の一部は、導光板６４の他端部６４ｂに入射し、導光板６４の内部へと導かれる。導光板６４から出射した光は、図６において矢印Ｐ４で示すように、第２の液晶パネル１８の外周部１８ｃに入射し、第２の封止材６２及び第２の前面ガラス基板５４を透過する。第２の前面ガラス基板５４を透過した光は、第２の前面偏光板４４を透過せずに、第１の液晶パネル１６の第１の背面偏光板２４を透過する。そのため、第１の背面偏光板２４を透過した光は、第２の透過軸３０に平行な方向（Ｘ軸方向）に偏光され、第１の背面ガラス基板３４を透過した後に、第１の液晶セル２６の第１の液晶層３６の上下左右の端部に配置された第１の画素４０まで到達する。その結果、ユーザ２０は、画像表示装置２Ａを真正面方向に対してより角度の大きい斜め方向から見た場合であっても、第１の液晶層３６の上下左右の端部に配置された第１の画素４０を視認することができ、視野角をより拡大することができる。
【００５２】
（実施の形態３）
［３−１．画像表示装置の構成］
次に、図７を参照しながら、実施の形態３に係る画像表示装置２Ｂの構成について説明する。図７は、実施の形態３に係る画像表示装置２Ｂを示す要部断面図である。
【００５３】
図７に示すように、実施の形態３に係る画像表示装置２Ｂの液晶モジュール４Ｂは、上記実施の形態１で説明した構成要素に加えて、固定テープ６６（反射部材の一例）を備えている。固定テープ６６は、第１の液晶パネル１６と第２の液晶パネル１８とを固定するための粘着テープである。固定テープ６６の粘着面は、第１の液晶パネル１６及び第２の液晶パネル１８の各四辺にそれぞれ貼り付けられ、且つ、第１の液晶パネル１６の外周部１６ｃから第２の液晶パネル１８の外周部１８ｃに亘って貼り付けられている。さらに、固定テープ６６の粘着面には、バックライト１２からの光を第１の液晶パネル１６の背面１６ｂに向けて反射するための反射面６８が形成されている。反射面６８は、固定テープ６６の粘着面のうち、第２の液晶パネル１８の外周部１８ｃに対向する領域７０に形成されている。
【００５４】
なお、上記実施の形態２で説明したように、固定テープ６６の反射面６８で反射した光が第１の液晶パネル１６の外周部１６ｃに入射しないように、反射面６８は、固定テープ６６の粘着面のうち、第２の液晶パネル１８の外周部１８ｃに対向する領域７０にのみ形成されているのが好ましい。第１の封止材４２が透光性を有しない場合には、反射面６８は、固定テープ６６の粘着面の全領域に形成されていてもよい。
【００５５】
［３−２．効果］
上述したように、本実施の形態では、画像表示装置２Ｂは、さらに、第２の液晶パネル１８の外周部１８ｃに対向して配置され、バックライト１２からの光を第１の液晶パネル１６の背面１６ｂに向けて反射するための反射面６８を有する固定テープ６６を備える。
【００５６】
これにより、バックライト１２からの光の一部は、第２の液晶パネル１８の第２の背面偏光板４６を透過せずに、例えば第２の背面ガラス基板５６及び第２の封止材６２を透過し、固定テープ６６の反射面６８で反射する。固定テープ６６の反射面６８で反射した光は、図７において矢印Ｐ５で示すように、第２の液晶パネル１８の外周部１８ｃに入射し、第２の封止材６２及び第２の前面ガラス基板５４を透過する。第２の前面ガラス基板５４を透過した光は、第２の前面偏光板４４を透過せずに、第１の液晶パネル１６の第１の背面偏光板２４を透過する。そのため、第１の背面偏光板２４を透過した光は、第２の透過軸に平行な方向（Ｘ軸方向）に偏光され、第１の背面ガラス基板３４を透過した後に、第１の液晶セル２６の第１の液晶層３６の上下左右の端部に配置された第１の画素４０まで到達する。その結果、ユーザ２０は、画像表示装置２Ｂを真正面方向に対してより角度の大きい斜め方向から見た場合であっても、第１の液晶層３６の上下左右の端部に配置された第１の画素４０を視認することができ、視野角をより拡大することができる。
【００５７】
さらに、反射部材は、第１の液晶パネル１６の外周部１６ｃから第２の液晶パネル１８の外周部１８ｃに亘って貼り付けられ、少なくとも第２の液晶パネル１８の外周部１８ｃに対向する領域７０に反射面６８が形成された固定テープ６６である。
【００５８】
これにより、第１の液晶パネル１６と第２の液晶パネル１８とを固定する機能と、バックライト１２からの光を第１の液晶パネル１６の背面１６ｂに向けて反射する機能とを、固定テープ６６に持たせることができる。
【００５９】
なお、バックライト１２からの光を第１の液晶パネル１６の背面１６ｂに向けて反射する機能のみを固定テープ６６に持たせてもよい。この場合、固定テープ６６は、例えば下フレーム１０の内面（第２の液晶パネル１８の外周部１８ｃに対向する面）に貼り付けられる。
【００６０】
（変形例）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態１〜３で説明した各構成要素を組み合わせて、新たな実施の形態とすることも可能である。
【００６１】
そこで、以下、他の実施の形態を例示する。
【００６２】
上記各実施の形態では、第１の液晶パネル１６及び第２の液晶パネル１８の各々をツイステッドネマティック型の液晶パネルとしたが、これに限定されず、例えば、インプレイン・スイッチング（Ｉｎ−Ｐｌａｎｅ  Ｓｗｉｔｃｈｉｎｇ）型の液晶パネル、バーチカルアライメント型の液晶パネル、ブルー相液晶パネル、強誘電性液晶パネル、ＯＣＢ（Ｏｐｔｉｃａｌｌｙ  Ｃｏｍｐｅｎｓａｔｅｄ  Ｂｅｎｄ）型の液晶パネル、又は、ゲスト−ホスト型の液晶パネル等としてもよい。あるいは、第１の液晶パネル１６及び第２の液晶パネル１８を、上記の中から２種類の液晶パネルを適宜組み合わせて構成してもよい。
【００６３】
上記各実施の形態では、バックライト１２を直下型のバックライトとしたが、これに限定されず、例えばエッジ型のバックライトとしてもよい。
【００６４】
上記実施の形態２及び３ではそれぞれ、導光板６４及び固定テープ６６を配置したが、これらの導光板６４及び固定テープ６６に代えて、例えばＬＥＤ等の光源を複数配置してもよい。この場合、複数の光源は、第２の液晶パネル１８の外周部１８ｃの全周に亘って対向して配置される。複数の光源の各々からの光は、第２の液晶パネル１８の外周部１８ｃに入射するので、上記実施の形態２及び３と同様の効果を得ることができる。
【００６５】
上記各実施の形態では、第２の前面偏光板４４をＸＹ平面視で第１の背面偏光板２４よりも小さくしたが、これに限定されず、第２の前面偏光板４４をＸＹ平面視で第１の背面偏光板２４と同じ大きさにしてもよい。これにより、第１の背面偏光板２４と第２の前面偏光板４４との接着剤による接着面積を大きく確保することができる。
【００６６】
以上のように、本開示における技術の例示として、実施の形態を説明した。そのために、添付図面及び詳細な説明を提供した。
【００６７】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６８】
また、上述の実施の形態は、本開示における技術を例示するためのものであるから、請求の範囲又はその均等の範囲において種々の変更、置き換え、付加、省略などを行うことができる。
【産業上の利用可能性】
【００６９】
本開示は、画像を表示する画像表示装置に適用可能である。具体的には、例えば液晶テレビジョン受像機等に、本開示は適用可能である。
【符号の説明】
【００７０】
２，２Ａ，２Ｂ，１００，１１０  画像表示装置
４，４Ａ，４Ｂ  液晶モジュール
６  バックカバー
８  スタンド
１０  下フレーム
１２  バックライト
１４  上フレーム
１６  第１の液晶パネル
１６ａ，１８ａ  前面
１６ｂ，１８ｂ  背面
１６ｃ，１８ｃ  外周部
１８，１０２，１１２  第２の液晶パネル
１９ａ，１９ｂ  クッション部材
２０  ユーザ
２２  第１の前面偏光板
２４  第１の背面偏光板
２６  第１の液晶セル
２８  第１の透過軸
３０  第２の透過軸
３２  第１の前面ガラス基板
３４  第１の背面ガラス基板
３６  第１の液晶層
３８  カラーフィルタ
４０  第１の画素
４２  第１の封止材
４４，１０４  第２の前面偏光板
４６，１０６  第２の背面偏光板
４８，１１４  第２の液晶セル
５０  第３の透過軸
５２  第４の透過軸
５４  第２の前面ガラス基板
５６  第２の背面ガラス基板
５８，１１６  第２の液晶層
６０，１１８  第２の画素
６２  第２の封止材
６４  導光板
６４ａ  一端部
６４ｂ  他端部
６６  固定テープ
６８  反射面
７０  領域
【手続補正２】
【補正対象書類名】特許請求の範囲
【補正対象項目名】全文
【補正方法】変更
【補正の内容】
【特許請求の範囲】
【請求項１】
前面に画像を表示する第１の液晶パネルと、
前面が前記第１の液晶パネルの背面に対向して配置された第２の液晶パネルと、
前記第２の液晶パネルの背面に光を照射するバックライトと、を備え、
前記第１の液晶パネルは、
第１の透過軸を有し、前記第１の液晶パネルの前記前面に配置された第１の前面偏光板と、
前記第１の透過軸と異なる方向の第２の透過軸を有し、前記第１の液晶パネルの前記背面に配置された第１の背面偏光板と、
前記第１の前面偏光板と前記第１の背面偏光板との間に配置された第１の液晶セルと、を有し、
前記第２の液晶パネルは、
前記第２の透過軸と同じ方向の第３の透過軸を有し、前記第２の液晶パネルの前記前面に配置された第２の前面偏光板と、
平面視で前記第１の背面偏光板よりも小さい第２の背面偏光板であって、前記第３の透過軸と異なる方向の第４の透過軸を有し、前記第２の液晶パネルの前記背面に配置された第２の背面偏光板と、
前記第２の前面偏光板と前記第２の背面偏光板との間に配置された第２の液晶セルと、を有する
画像表示装置。
【請求項２】
前記第２の液晶セルは、
前記第２の前面偏光板に対向して配置された前面透明基板と、
前記第２の背面偏光板に対向して配置された背面透明基板と、
前記前面透明基板と前記背面透明基板との間に配置された液晶層と、
前記前面透明基板と前記背面透明基板との間に配置され、前記液晶層の外周部を封止する封止材と、を有し、
前記第２の背面偏光板と前記液晶層とは、前記平面視で同じ大きさである
請求項１に記載の画像表示装置。
【請求項３】
前記画像表示装置は、さらに、前記第２の液晶パネルの外周部に対向して配置され、前記バックライトからの光を前記第１の液晶パネルの前記背面に導くための導光板を備える
請求項１又は２に記載の画像表示装置。
【請求項４】
前記画像表示装置は、さらに、前記第２の液晶パネルの外周部に対向して配置され、前記バックライトからの光を前記第１の液晶パネルの前記背面に向けて反射するための反射面を有する反射部材を備える
請求項１又は２に記載の画像表示装置。
【請求項５】
前記反射部材は、前記第１の液晶パネルの外周部から前記第２の液晶パネルの前記外周部に亘って貼り付けられ、少なくとも前記第２の液晶パネルの前記外周部に対向する領域に前記反射面が形成された固定テープである
請求項４に記載の画像表示装置。
【請求項６】
前記第２の前面偏光板は、前記平面視で前記第１の背面偏光板よりも小さい
請求項１〜５のいずれか１項に記載の画像表示装置。
【手続補正３】
【補正対象書類名】図面
【補正対象項目名】全図
【補正方法】変更
【補正の内容】
【図１】
2019116618.tif 000010
【図２】
2019116618.tif 000011
【図３】
2019116618.tif 000012
【図４】
2019116618.tif 000013
【図５】
2019116618.tif 000014
【図６】
2019116618.tif 000015
【図７】
2019116618.tif 000016
【国際調査報告】
2019116618.tif 000017
2019116618.tif 000018
2019116618.tif 000019
2019116618.tif 000020